(57)【要約】【課題】代替周波数の放送局への適切な切り替えを短時間で行うことができるラジオ受信機を提供すること。【解決手段】ラジオ受信機は、受信中の放送信号の受信状態を判定する受信状態判定部４３と、受信状態判定部４３によって判定された受信状態に応じてバンドパスフィルタ１５の通過帯域幅を決定する帯域幅決定部４４Ｂと帯域幅決定部４４Ｂによって決定された通過帯域幅をバンドパスフィルタ１５に設定した状態で、代替周波数データで示された周波数情報で特定される放送信号を受信してその受信状態を判定するＡＦチェック処理部４５等を備える。【選択図】図１
2014033325.tif 000002
【特許請求の範囲】
【請求項１】
受信中の放送信号と同じ番組を放送する放送局の周波数情報を含む代替周波数データが重畳された放送信号を受信するラジオ受信機において、
放送信号を受信して中間周波数信号に変換するフロントエンドと、
前記フロントエンドから出力される中間周波数信号が入力され、所定の通過帯域幅に含まれる成分を通過させる帯域通過手段と、
受信中の放送信号の受信状態を判定する受信状態判定手段と、
前記受信状態判定手段によって判定された受信状態に応じて前記帯域通過手段の通過帯域幅を決定する帯域幅決定手段と、
前記帯域幅決定手段によって決定された通過帯域幅を前記帯域通過手段に設定した状態で、前記代替周波数データで示された周波数情報で特定される放送信号を受信してその受信状態を判定する代替放送局判定手段と、
を備えることを特徴とするラジオ受信機。
【請求項２】
請求項１において、
前記帯域幅決定手段は、前記受信状態判定手段によって判定された受信状態が良好な場合ほど前記帯域通過手段の通過帯域幅を広く設定することを特徴とするラジオ受信機。
【請求項３】
請求項２において、
前記受信状態判定手段は、程度に応じて分類された複数の受信状態レベルの中から該当するものを選択し、
前記帯域幅決定手段は、前記受信状態判定手段によって選択された前記受信状態レベルに対応する通過帯域幅を決定することを特徴とするラジオ受信機。
【請求項４】
請求項１〜３のいずれかにおいて、
前記受信状態判定手段によって判定された受信状態よりも、前記代替放送局判定手段によって判定された受信状態の方が良好なときに、受信中の放送信号から、前記代替周波数データで示された周波数情報で特定される放送信号に切り替える切替手段をさらに備えることを特徴とするラジオ受信機。
【請求項５】
請求項１〜４のいずれかにおいて、
前記代替周波数データは、ラジオ・データ・システムの放送信号に含まれることを特徴とするラジオ受信機。
【請求項６】
請求項１〜５のいずれかにおいて、
前記フロントエンドは、１つの放送信号を受信するシングルチューナ構成を有することを特徴とするラジオ受信機。
【請求項７】
請求項６において、
受信中の放送信号に対応する音声を出力するとともに、前記代替放送局判定手段による判定動作が行われているときに出力を無音状態にする音声出力手段をさらに備えることを特徴とするラジオ受信機。
【請求項８】
請求項１〜７のいずれかにおいて、
前記受信状態判定手段および前記代替放送局判定手段による受信状態の判定は、前記中間周波数信号の信号強度、マルチパス妨害発生の有無、隣接妨害発生の有無に応じて行われることを特徴とするラジオ受信機。
【請求項９】
請求項１〜８のいずれかにおいて、
車両に搭載されていることを特徴とするラジオ受信機。
【請求項１０】
請求項９において、
代替放送局判定手段は、一定の時間間隔あるいは受信中の放送信号の受信状態が悪化したときに、代替周波数の放送局の受信状態の判定動作を行うことを特徴とするラジオ受信機。
【発明の詳細な説明】
【技術分野】
【０００１】
本発明は、ＲＤＳ（Radio Data System）等のラジオ受信機に関する。
【背景技術】
【０００２】
従来から、現在の受信状態が良好でないと判断したときにＡＦ（代替周波数）サーチを開始し、移動先のチャンネルにて隣接妨害がある場合には通常の受信時の帯域幅自動可変動作と同様の制御（受信電界強度に応じて帯域幅を可変させる制御）を行い、隣接妨害がない場合には広めの基準帯域幅に固定する制御を行うようにしたＲＤＳ受信機能を有したＦＭラジオ受信機が知られている（例えば、特許文献１参照。）。このような制御を行うことにより、ＡＦサーチにおいて弱電界状態でのビットエラーレートを改善することができる。
【先行技術文献】
【特許文献】
【０００３】
【特許文献１】特開２００９−１０５７２９号公報
【発明の概要】
【発明が解決しようとする課題】
【０００４】
ところで、特許文献１に開示されたＦＭラジオ受信機では、ＡＦサーチ動作を開始した後に、移動先のチャンネル（代替周波数の放送局）に隣接妨害があるか否かを判定し、その判定結果に応じて帯域幅可変の制御を行っているため、実際に移動先のチャンネルに切り替えるか否かを決定するまでに時間がかかるという問題があった。特に、１チューナ構成のラジオ受信機では、音声出力の対象となる放送信号の受信を一時的に中断してＡＦサーチ動作を行う必要があり、ＡＦサーチ動作に時間がかかると音声出力の中断時間が長くなって聴取者に違和感、不快感を与えかねないため望ましくはない。一方、ＡＦサーチ動作時の帯域幅を固定することが考えられるが、狭い帯域幅に固定すると隣接妨害の有無がわからず、反対に広い帯域幅に固定すると隣接妨害を受けている放送局を切替対象から常に除外することになり、ともに代替周波数の放送局への適切な切り替えができないことになる。
【０００５】
本発明は、このような点に鑑みて創作されたものであり、その目的は、代替周波数の放送局への適切な切り替えを短時間で行うことができるラジオ受信機を提供することにある
。
【課題を解決するための手段】
【０００６】
上述した課題を解決するために、本発明のラジオ受信機は、受信中の放送信号と同じ番組を放送する放送局の周波数情報を含む代替周波数データが重畳された放送信号を受信するラジオ受信機において、放送信号を受信して中間周波数信号に変換するフロントエンドと、フロントエンドから出力される中間周波数信号が入力され、所定の通過帯域幅に含まれる成分を通過させる帯域通過手段と、受信中の放送信号の受信状態を判定する受信状態判定手段と、受信状態判定手段によって判定された受信状態に応じて帯域通過手段の通過帯域幅を決定する帯域幅決定手段と、帯域幅決定手段によって決定された通過帯域幅を帯域通過手段に設定した状態で、代替周波数データで示された周波数情報で特定される放送信号を受信してその受信状態を判定する代替放送局判定手段とを備えている。特に、上述した帯域幅決定手段は、受信状態判定手段によって判定された受信状態が良好な場合ほど帯域通過手段の通過帯域幅を広く設定している。
【０００７】
受信中の放送信号の受信状態に応じて帯域通過手段の通過帯域幅を設定して代替周波数放送局の受信状態判定を行っているため、各代替周波数放送局の受信状態に応じて通過帯域幅を可変する場合に比べてＡＦサーチ動作にかかる時間を短縮することができる。また、受信中の放送信号受信状態にあわせて帯域通過手段の通過帯域幅を可変設定してＡＦサーチ動作を行うため、必要に応じて隣接妨害等を排除したＡＦサーチ動作を行うことが可能となり、代替周波数放送局への適切な切り替えを行うことができる。
【０００８】
また、上述した受信状態判定手段は、程度に応じて分類された複数の受信状態レベルの中から該当するものを選択し、帯域幅決定手段は、受信状態判定手段によって選択された受信状態レベルに対応する通過帯域幅を決定することが望ましい。受信状態判定や通過帯域幅決定を複数の候補から選択することにより行うことができるため、これらの判定動作や決定動作、さらには帯域通過手段の通過帯域幅の設定動作を簡略化することができる。
【０００９】
また、上述した受信状態判定手段によって判定された受信状態よりも、代替放送局判定手段によって判定された受信状態の方が良好なときに、受信中の放送信号から、代替周波数データで示された周波数情報で特定される放送信号に切り替える切替手段をさらに備えることが望ましい。これにより、受信中の放送信号の受信状態を考慮して、さらに受信状態が良好な放送信号に切り替えることができる。例えば、受信中の放送信号の受信状態が良好な場合にはさらに受信状態が良好な代替周波数の放送信号が存在する場合のみ切り替えを行うことができる。また、受信中の放送信号の受信状態が悪い場合には、切り替えの基準となる受信状態の値を下げて代替周波数の放送信号を探すことが可能になる。
【００１０】
また、上述した代替周波数データは、ラジオ・データ・システムの放送信号に含まれることが望ましい。これにより、本発明の動作を行うために必要な代替周波数データを容易に取得することができる。
【００１１】
また、上述したフロントエンドは、１つの放送信号を受信するシングルチューナ構成を有することが望ましい。これにより、バックグラウンド処理ができないシングルチューナ構成を採用した場合に、ＡＦサーチ動作を短時間で行って代替周波数の放送局への切り替えを迅速に行うことが可能となる。
【００１２】
また、受信中の放送信号に対応する音声を出力するとともに、代替放送局判定手段による判定動作が行われているときに出力を無音状態にする音声出力手段をさらに備えることが望ましい。これにより、代替周波数の放送局の受信状態を確認中に、これらの放送局の番組の音声が断片的に出力されることを防止することができる。
【００１３】
また、上述した受信状態判定手段および代替放送局判定手段による受信状態の判定は、中間周波数信号の信号強度、マルチパス妨害発生の有無、隣接妨害発生の有無に応じて行われることが望ましい。これにより、帯域通過手段の通過帯域幅を狭くして隣接妨害を排除した状態で代替周波数の放送局の受信状態判定を行うことが可能となり、このような放送局を切り替え先として選択することが可能となる。
【００１４】
また、車両に搭載されていることが望ましい。代替放送局判定手段は、一定の時間間隔あるいは受信中の放送信号の受信状態が悪化したときに、代替周波数の放送局の受信状態の判定動作を行うことが望ましい。これにより、車両の走行に応じて受信状態が変化する放送信号を受信中に、確実に代替周波数の放送局を探して切り替えることが可能となる。
【図面の簡単な説明】
【００１５】
【図１】一実施形態のラジオ受信機の構成を示す図である。
【図２】ＲＤＳデータの基本的ベースバンドコーディング構造の説明図である。
【図３】受信中の放送信号の受信状態に応じてバンドパスフィルタの通過帯域幅を変更してＡＦチェックを行う動作手順を示す流れ図である。
【図４】受信中の放送信号の受信状態とＡＦチェック時のバンドパスフィルタの帯域幅の設定内容との関係を示す図である。
【図５】図４に示した受信状態と通過帯域幅との具体的な関係を示す図である。
【発明を実施するための形態】
【００１６】
以下、本発明を適用した一実施形態のラジオ受信機について、図面を参照しながら説明する。図１は、一実施形態のラジオ受信機の構成を示す図である。図１に示すラジオ受信機は、車両に搭載されてＲＤＳ放送を受信するためのものであり、アンテナ１０、フロントエンド（Ｆ／Ｅ）１２、中間周波増幅器（ＩＦＡ）１４、バンドパスフィルタ（ＢＰＦ）１５、帯域幅設定部１６、受信状態検出部１７、復調部２０、増幅器２２、スピーカ２４、ＲＳデコーダ３０、制御部４０、ＡＦリスト格納部５０、表示部６０、操作部６２を含んで構成されている。このラジオ受信機は、１つの放送信号を受信するシングルチューナ構成を有している。
【００１７】
ＲＤＳ放送は、１９ｋＨｚのステレオパイロット信号の３次高調波である５７ｋＨｚを副搬送波とし、フィルタリングおよび２相コード化された番組関連情報や交通情報関連等のデータを示すデータ信号により、副搬送波を振幅変調してラジオデータ（ＲＤＳデータ）とし、この振幅変調された副搬送波を主搬送波に周波数変調して放送している。
【００１８】
図２は、ＲＤＳデータの基本的ベースバンドコーディング構造の説明図である。図２に示すように、ＲＤＳデータは、１０４ビットを１グループとするグループ単位で構成され、各グループはそれぞれ４ブロック（Ａ、Ｂ、Ｃ、Ｄ）からなり、１ブロックは１６ビットの情報語（ｍ０〜ｍ１５）と１０ビットの検査語およびオフセット語（Ｃ’０〜Ｃ’９）とから構成されている。
【００１９】
ブロックＡには、国名データや番組データからなるネットワークを示す番組識別データ（ＰＩコード：Program Identification Code）が配置される。ブロックＢには、交通情報番組を放送する交通情報放送局であることを示す交通情報放送局識別データ（ＴＰコード：Traffic program Identification code）や番組の種類を示す番組内容識別データ（ＰＴＹコード：Program Type code）が配置される。ブロックＣには、同一番組を放送しているネットワーク局群の各局の周波数に関するデータ、すなわち代替周波数データ（ＡＦデータ：Alternative Frequency code）が配置される。この代替周波数データには、受信中の放送信号と同じ番組を放送する放送局の受信周波数が含まれている。ブロックＤには、放送局名やネットワーク名等の放送局名データ（ＰＳデータ：Program Service code）が配置される。
【００２０】
フロントエンド１２は、アンテナ１０を介して受信した放送信号の中から所望の放送信号を抽出するとともに周波数変換を行ってこの放送波に対応するＩＦ信号（中間周波信号）を生成する。なお、本実施形態のラジオ受信機は１チューナ構成を有しており、フロントエンド１２は１つの放送信号のみを受信する。中間周波増幅器１４は、フロントエンド１２から出力されたＩＦ信号を増幅する。
【００２１】
バンドパスフィルタ１５は、入力されるＩＦ信号に対して帯域制限を行い、設定された通過帯域幅の成分を通過させる。帯域幅設定部１６は、バンドパスフィルタ１５の通過帯域幅を可変設定する。例えば、４種類の通過帯域幅が予め想定されており、この中の１つが選択されてバンドパスフィルタ１５の通過帯域幅の設定が行われる。設定可能な通過帯域幅は、広い順に「広帯域」、「中帯域」、「狭帯域」、「極狭帯域」の４種類がある。「広帯域」の場合には通過帯域幅が約２００ｋＨｚに設定される。「中帯域」の場合には通過帯域幅が約１５０ｋＨｚに設定される。「狭帯域」の場合には通過帯域幅が約１２０ｋＨｚに設定される。「極狭帯域」の場合には通過帯域幅が約９０ｋＨｚに設定される。
【００２２】
受信状態検出部１７は、バンドパスフィルタ１５から出力されるＩＦ信号に基づいて放送信号の受信状態を検出する。例えば、ＩＦ信号の信号強度、マルチパス妨害発生の有無、隣接妨害発生の有無が受信状態として検出される。
【００２３】
復調部２０は、バンドパスフィルタ１５を通った帯域制限後のＩＦ信号に基づいてＦＭ復調処理およびステレオ復調処理を行う。ＦＭ復調された後のデータには、ＰＩコードや番組内容識別データ（ＴＹＰ）、代替周波数（ＡＦ）データなどを含むＲＤＳデータが重畳されている。復調部２０によってステレオ復調されたオーディオ信号は、増幅器２２によって増幅されてスピーカ２４からオーディオ音が出力される。
【００２４】
ＲＤＳデコーダ３０は、復調部２０によってＦＭ復調されたデータに対して所定のデコード処理を行ってＲＤＳデータを復元する。また、ＲＤＳデコーダ３０は、ＲＤＳデータの誤りをブロック同期を取りながら検出し、その誤りを訂正する動作を行う。なお、通常は、ＲＤＳデータの誤り検出および訂正動作はＲＤＳデータのデコード処理とは別であって、別の誤り検出・訂正部が備わっている。
【００２５】
制御部４０は、ラジオ受信機全体を制御する。この制御部４０は、ＣＰＵおよびＲＡＭ、ＲＯＭ等によって構成されており、所定のプログラムを実行することにより各種の動作を行う。例えば、番組を選択して受信する選局動作や、受信中の放送信号の受信状態が悪化したときに同じ内容の番組を放送している他の放送局を探して切り替える代替放送局切替動作などが制御部４０の制御によって行われる。このために、制御部４０は、選局処理部４１、ＡＦデータ取得部４２、受信状態判定部４３、帯域幅決定部４４Ａ、４４Ｂ、ＡＦチェック処理部４５、切替判定部４６、ミュート処理部４７を備えている。
【００２６】
選局処理部４１は、操作部６２を用いて利用者によって受信番組が指定されたときに、この受信番組に対応する受信周波数の設定をフロントエンド１２に対して行う。
【００２７】
ＡＦデータ取得部４２は、受信中の放送信号に含まれる代替周波数データ（ＡＦデータ）を取得し、取得したＡＦデータに含まれる受信周波数を抽出して代替周波数リスト（ＡＦリスト）を作成する。作成された代替周波数リストは、ＡＦリスト格納部５０に格納される。受信状態判定部４３は、受信状態検出部１７による検出結果に基づいて、受信中の放送信号の受信状態を判定する。
【００２８】
帯域幅決定部４４Ａは、受信中の放送信号に対応する受信状態判定部４３による判定結果に基づいて、受信中の放送信号に対応するバンドパスフィルタ１５の通過帯域幅を決定する。受信中の放送信号の受信状態が良好な場合には、バンドパスフィルタ１５の通過帯域幅として広い帯域幅（例えば、２００ｋＨｚ）が決定される。また、隣接妨害が発生して、受信中の放送信号の受信状態が悪化すると、隣接妨害による受信品質悪化を防止するために、バンドパスフィルタ１５の通過帯域幅を狭くする決定が行われる。決定された帯域幅は帯域幅設定部１６に送られ、帯域幅設定部１６によってバンドパスフィルタ１５の通過帯域幅が変更される。
【００２９】
ＡＦチェック処理部４５は、所定のタイミング（例えば、一定時間間隔や受信状態の悪化を検出したとき）に、ＡＦリスト格納部５０に格納されているＡＦリストを読み出してこのＡＦリストに含まれる各代替周波数の放送信号を受信する指示をフロントエンド１２に対して行うとともに、これらの各放送信号に対してクオリティチェックを行い、各放送信号の受信状態を判定する。本明細書では、ＡＦリストの読み出しから代替周波数の放送信号の受信状態までの一連の動作を「ＡＦチェック」と称している。クオリティチェックは、受信状態検出部１７による検出結果（ＩＦ信号の信号強度、マルチパス妨害発生の有無、隣接妨害発生の有無）に基づいて行われる。
【００３０】
帯域幅決定部４４Ｂは、受信中の放送信号に対応する受信状態判定部４３による判定結果に基づいて、ＡＦチェックの対象となる放送信号についてバンドパスフィルタ１５の通過帯域幅を決定する。具体的には、受信中の放送信号の受信状態が良好なほどバンドバスフィルタ１５の通過帯域幅が広く設定され、受信状態が悪くなるほど通過帯域幅が狭く設定される。
【００３１】
切替判定部４６は、ＡＦチェック処理部４５によって判定された代替周波数の各放送波の受信状態と、受信状態判定部４３によって判定された受信中の放送信号の受信状態とを比較し、代替周波数の放送信号の受信状態の方が良好な場合にこの放送信号に切り替える指示をフロントエンド１２に対して行う。
【００３２】
ミュート処理部４７は、ＡＦチェック処理部４５の動作と並行して、復調部２０に指示を送ってスピーカ２４から出力されるオーディオ音を無音状態にする。なお、急激に無音状態にする代わりに、ＡＦチェック処理部４５の動作に先立って出力音のフェードアウト処理を行い、動作終了後に出力音のフェードイン処理を行うようにしてもよい。
【００３３】
上述したバンドパスフィルタ１５が帯域通過手段に、受信状態検出部１７、受信状態判定部４３が受信状態判定手段に、帯域幅決定部４４Ｂが帯域幅決定手段に、帯域幅設定部１６、受信状態検出部１７、ＡＦチェック処理部４５が代替放送局判定手段に、切替判定部４６が切替手段に、復調部２０、増幅器２２、スピーカ２４、ミュート処理部４７が音声出力手段にそれぞれ対応する。
【００３４】
本実施形態のラジオ受信機はこのような構成を有しており、次にその動作を説明する。図３は、受信中の放送信号の受信状態に応じてバンドパスフィルタ１５の通過帯域幅を変更してＡＦチェックを行う動作手順を示す流れ図である。
【００３５】
車両走行時にいずれかの放送信号を受信中（ステップ１００）に、ＡＦチェック処理部４５はＡＦチェックタイミングか否かを判定する（ステップ１０２）。ＡＦチェックタイミングでない場合には否定判断が行われ、ステップ１００に戻って放送信号の受信動作が繰り返される。また、ＡＦチェックタイミングになるとステップ１０２の判定において肯定判断が行われる。
【００３６】
次に、あるいは、放送信号の受信動作と並行して、受信状態検出部１７は、受信中の放送信号の受信状態を検出する（ステップ１０４）。また、受信状態判定部４３は、検出した受信状態が最も良好な状態Ａか否かを判定する（ステップ１０６）。本実施形態では、受信状態を４段階に分類しており、最も良好な状態をＡ、受信状態が悪くなるにしたがってＢ、Ｃ、Ｄとなる。受信状態がＡの場合にはステップ１０６の判定において肯定判断が行われる。この場合には、帯域幅決定部４４ＢはＡＦチェックの対象となる放送信号についてバンドパスフィルタ１５の通過帯域幅を「広帯域」に決定し、帯域幅設定部１７による設定が行われる（ステップ１０８）。
【００３７】
受信状態がＡでない場合にはステップ１０６の判定において否定判断が行われる。次に、受信状態判定部４３は、検出した受信状態が次に良好な状態Ｂか否かを判定する（ステップ１１０）。受信状態がＢの場合には肯定判断が行われる。この場合には、帯域幅決定部４４ＢはＡＦチェックの対象となる放送信号についてバンドパスフィルタ１５の通過帯域幅を「中帯域」に決定し、帯域幅設定部１６による設定が行われる（ステップ１１２）。
【００３８】
受信状態がＢでない場合にはステップ１１０の判定において否定判断が行われる。次に、受信状態判定部４３は、検出した受信状態が悪い状態Ｃか否かを判定する（ステップ１１４）。受信状態がＣの場合には肯定判断が行われる。この場合には、帯域幅決定部４４ＢはＡＦチェックの対象となる放送信号についてバンドパスフィルタ１５の通過帯域幅を「狭帯域」に決定し、帯域幅設定部１６による設定が行われる（ステップ１１６）。
【００３９】
受信状態がＣでない場合にはステップ１１４の判定において否定判断が行われる。この場合には、帯域幅決定部４４ＢはＡＦチェックの対象となる放送信号についてバンドパスフィルタ１５の通過帯域幅を「極狭帯域」に決定し、帯域幅設定部１６による設定が行われる（ステップ１１８）。
【００４０】
このようにしてステップ１０８、１１２、１１６、１１８のいずれかにおいてバンドパスフィルタ１５の通過帯域幅の設定が行われた後に、ＡＦチェック処理部４５はＡＦチェックを実施し、代替周波数の各放送波の受信状態を判定する（ステップ１２０）。次に、切替判定部４６は、ＡＦチェック処理部４５によって判定された代替周波数の各放送波の受信状態と、受信状態判定部４３によって判定された受信中の放送信号の受信状態とを比較し（ステップ１２２）、受信状態が良好な代替周波数の放送信号（ＡＦ局）が存在するか否かを判定する（ステップ１２４）。存在する場合には肯定判断が行われ、切替判定部４６は、このＡＦ局に切り替える指示をフロントエンド１２に対して行い、代替周波数の放送信号に切り替える（ステップ１２６）。また、受信状態が良好なＡＦ局が存在しない場合にはステップ１２４の判定において否定判断が行われ、代替周波数の放送信号への切り替えを行わずにステップ１００に戻って、それまで受信していた放送信号の受信動作が繰り返される。
【００４１】
図４は、受信中の放送信号の受信状態とＡＦチェック時のバンドパスフィルタ１５の帯域幅の設定内容との関係を示す図である。図４において、「受信状態」は現在受信中の放送信号の受信状態を、「ＡＦチェック時帯域幅」はＡＦチェック時のバンドパスフィルタ１５の帯域幅の設定内容をそれぞれ示している。図５は、図４に示した受信状態と通過帯域幅との具体的な関係を示す図である。
【００４２】
図４に示すように、受信中の放送信号の受信状態が最も良好なＡと次に良好なＢの場合には、バンドパスフィルタ１５の通過帯域幅が最も広い「広帯域」あるいは次に広い「中帯域」に設定される。これは、受信中の放送信号の受信状態が良好、あるいは比較的良好なため、同程度以上の受信状態のＡＦ局があれば切り替える趣旨である。
【００４３】
また、受信中の放送信号の受信状態が悪いＣの場合には、バンドパスフィルタ１５の通過帯域幅が狭い「狭帯域」に設定される。これは、受信中の放送信号の受信状態が悪化してきており、多少妨害を受けていても良好に受信できるＡＦ局があれば切り替える趣旨である。
【００４４】
さらに、受信中の放送信号の受信状態が最も悪いＤの場合には、バンドパスフィルタ１５の通過帯域幅が最も狭い「極狭帯域」に設定される。これは、受信中の放送信号は視聴に耐えないほど受信状態が悪いため、妨害を受けていても視聴可能なＡＦ局があれば切り替える趣旨である。
【００４５】
このように、本実施形態のラジオ受信機では、受信中の放送信号の受信状態に応じてバンドパスフィルタ１５の通過帯域幅を設定してＡＦ局の受信状態判定を行っているため、各ＡＦ局の受信状態に応じて通過帯域幅を可変する場合に比べてＡＦサーチ動作にかかる時間を短縮することができる。また、受信中の放送信号の受信状態にあわせてバンドパスフィルタ１５の通過帯域幅を可変設定してＡＦサーチ動作を行うため、必要に応じて隣接妨害等を排除したＡＦサーチ動作を行うことが可能となり、ＡＦ局への適切な切り替えを行うことができる。
【００４６】
また、受信状態判定や通過帯域幅決定を複数の候補（４種類）から選択することにより行うことができるため、これらの判定動作や決定動作、さらにはバンドパスフィルタ１５の通過帯域幅の設定動作を簡略化することができる。
【００４７】
また、受信中の放送信号の受信状態を考慮して、さらに受信状態が良好な放送信号に切り替えることができる。例えば、受信中の放送信号の受信状態が良好な場合にはさらに受信状態が良好なＡＦ局が存在する場合のみ切り替えを行うことができる。また、受信中の放送信号の受信状態が悪い場合には、切り替えの基準となる受信状態の値を下げてＡＦ局を探すことが可能になる。
【００４８】
また、ラジオ・データ・システム（ＲＤＳ）の放送信号を受信するラジオ受信機については、必要な代替周波数データを容易に取得することができる。特に、バックグラウンド処理ができないシングルチューナ構成を採用した場合に、ＡＦサーチ動作を短時間で行ってＡＦ局への切り替えを迅速に行うことが可能となる。
【００４９】
また、車両に搭載されたラジオ受信機に適用することで、車両の走行に応じて受信状態が変化する放送信号を受信中に、確実に代替周波数の放送局を探して切り替えることが可能となる。
【００５０】
なお、本発明は上記実施形態に限定されるものではなく、本発明の要旨の範囲内において種々の変形実施が可能である。例えば、上述した実施形態では、ＲＤＳ放送を受信するラジオ受信機について説明したが、代替周波数データを受信できるものであれば、その他のラジオ受信機、例えばＤＡＢ（Digital Audio Broadcasting）受信機についても本発明を適用することができる。また、上述した実施形態では、受信状態判定や通過帯域幅の設定を４段階で行うようにしたが、４以外の複数とすることができる。
【産業上の利用可能性】
【００５１】
上述したように、本発明によれば、  受信中の放送信号の受信状態に応じて帯域通過手段の通過帯域幅を設定して代替周波数放送局の受信状態判定を行っているため、各代替周波数放送局の受信状態に応じて通過帯域幅を可変する場合に比べてＡＦサーチ動作にかかる時間を短縮することができる。
【符号の説明】
【００５２】
１２  フロントエンド（Ｆ／Ｅ）
１４  中間周波増幅器（ＩＦＡ）
１５  バンドパスフィルタ（ＢＰＦ）
１６  帯域幅設定部
１７  受信状態検出部
３０  ＲＳデコーダ
４０  制御部
４１  選局処理部
４２  ＡＦデータ取得部
４３  受信状態判定部
４４Ａ、４４Ｂ  帯域幅決定部
４５  ＡＦチェック処理部
４６  切替判定部
４７  ミュート処理部
５０  ＡＦリスト格納部
【図１】
2014033325.tif 000003
【図２】
2014033325.tif 000004
【図３】
2014033325.tif 000005
【図４】
2014033325.tif 000006
【図５】
2014033325.tif 000007